(57)【要約】【課題】この発明は、水中への埋没の防止を図ったうえで、安定したバランスを実現して転倒の防止を図り得、且つ、簡便にして容易に高精度な撒餌操作を実現し得るようにすることにある。【解決手段】先端部に掬い部１１の設けられる柄１０の基端部が挿着される芯部１２内に柄１０の外周部の間に空隙を設けるようにして、この芯部１２の外周部に該芯部１２に比して軟質な材料で形成される握持部である外層部１５を被着するように構成したものである。【選択図】      図３
2005168462.tif 000002
【特許請求の範囲】
【請求項１】
先端部に掬い部の設けられる柄と、
この柄の基端部が挿着されるものであって、前記柄の外周部の間に空隙が設けられる芯部と、
この芯部の外周部に被着される、前記芯部に比して軟質な材料で形成された握持部と、
を具備することを特徴とする釣用撒餌杓。
【請求項２】
前記芯部は、複数の分割体で形成され、複数の分割体が合体された状態で、接合部位が前記握持部で覆われることを特徴とする請求項１記載の釣用撒餌杓。
【請求項３】
前記芯部及び前記握持部は、互いの接触面に嵌合部が対応して設けられ、相互の嵌合部が嵌合されて積重配置されることを特徴とする請求項１又は２記載の釣用撒餌杓。
【請求項４】
前記柄は、少なくとも基端部の二点が前記芯部内において支持されて配されることを特徴とする請求項１乃至３のいずれか記載の釣用撒餌杓。
【請求項５】
さらに、別体の突部材を備えて、前記芯部と前記握持部との位置ずれを防止するように構成したことを特徴とする請求項１乃至４のいずれか記載の釣用撒餌杓。
【発明の詳細な説明】
【技術分野】
【０００１】
この発明は、例えば撒餌をする釣りに用いられる釣用撒餌杓に関する。
【背景技術】
【０００２】
一般に、撒餌をしながら釣りを行う場合には、釣り場において、撒餌を収容した撒餌容器を、足元において、撒餌杓を用いて撒餌容器より撒餌を掬って撒くことにより、行われる。
【０００３】
ところで、このような撒餌を行うための撒餌杓は、その柄の先端部に掬い部が設けられ、この柄の基端部には、握持部が設けられる（例えば、特許文献１参照）。このような撒餌杓は、撒餌を行わない場合に、その掬い部を撒餌容器内に挿入しておいたり、容器の脇に立てかけて置き、釣り人が、必要に応じて、その握持部を握り、上述したようにその掬い部に撒餌容器の中の撒餌を掬い撒餌が行われる。
【特許文献１】特開２００１―１７８３４１号公報
【発明の開示】
【発明が解決しようとする課題】
【０００４】
しかしながら、上記撒餌杓では、使用しない状態において、撒餌容器内に掬い部を収容しておくと、その使用環境が、厳しい釣り場であるために、バランスが崩れ易く、その把持部が撒餌容器から外に落ちて、撒餌容器内の撒餌を周囲に散乱させたりするとうい問題を有する。特に、その使用環境が、厳しい釣り場であるために、撒餌杓が、撒餌容器から外に落ちると、海に落ちてしまう虞が有り、仮に、海の中に落ちてしまったような場合、海の中に沈んでしまい、その回収が困難となり、以後の釣りができなくなるという不都合を有する。
【０００５】
この発明は上記の事情に鑑みてなされたもので、水中への埋没の防止を図ったうえで、安定したバランスを実現して転倒の防止を図り得、且つ、簡便にして容易に高精度な撒餌操作を実現し得るようにした釣用撒餌杓を提供することを目的とする。
【課題を解決するための手段】
【０００６】
この発明は、先端部に掬い部の設けられる柄と、この柄の基端部が挿着されるものであって、前記柄の外周部の間に空隙が設けられる芯部と、この芯部の外周部に被着される、前記芯部に比して軟質な材料で形成された握持部とを備えて釣用撒餌杓を構成した。
【０００７】
上記構成によれば、掬い部の設けられた柄は、その基端部が芯部に挿着された状態で、該芯部との間に空隙が設けられていることにより、その基端側が水中に浮くまでの重量の軽減が図れると共に、該芯部の外周部に被着される軟質な材料で形成される握持部により、手に馴染んだ握持操作が可能となる。従って、柄の安定したバランスが実現されて、例えば立てかけて置いても、芯部側が倒れ難いことにより、撒餌容器からの落下の防止が図れると共に、仮に撒餌容器から水中に落下した場合にも、握持部側が水中に沈むことがないことで、容易に回収することができる。
【０００８】
また、撒餌操作時には、その芯部と握持部の作用により、手に馴染んだ握持が実現されることにより、簡便にして容易に高精度な撒餌操作を実現することが可能となる。
【発明の効果】
【０００９】
この発明によれば、水中への埋没の防止を図ったうえで、安定したバランスを実現して転倒の防止を図り得、且つ、簡便にして容易に高精度な撒餌操作を実現し得るようにした釣用撒餌杓を提供することができる。
【発明を実施するための最良の形態】
【００１０】
以下、この発明の実施の形態について、図面を参照して詳細に説明する。
【００１１】
図１は、この発明の一実施の形態に係る釣用撒餌杓の外観を示すもので、柄１０の先端部には、例えばカップ状の掬い部１１が設けられる。この柄１０は、例えば樹脂材料で図２及び図３に示すように中空状に形成され、その基端部が、例えば手からの抜けづらいような後端方向に太径となる形状を有した芯部１２に挿着される。
【００１２】
この芯部１２は、木材や樹脂材料で第１及び第２の分割体１３，１４が分割自在に合体されて、その内部が所定の空隙を形成する中空状に形成される（図３参照）。そして、これら第１及び第２の分割体１３，１４の外周部には、芯部１１に比して軟質のゴムやエラストマー樹脂等の樹脂材料製の握持部を構成する外層部１５が、その接合部位を覆うように、例えば金型を用いてインジェクション成形等の成形手法により被着されて柄１０の基端部にハンドルＰが設けられる。
【００１３】
これら第１及び第２の分割体１３，１４には、合体部１３１，１４１がそれぞれ設けられ、この合体部１３１，１４１を介して軸方向（芯部１２の長手方向）に対して直交する方向で分割可能に合体される。このうち第１の分割体１３には、挿通係合孔１３２が設けられ、この挿通係合孔１３２に挿入されて上記柄１０の基端部が上記芯部１１内に挿着される。
【００１４】
他方、第２の分割体１４には、例えば係合部側の基端部に、例えば外層部位置決め用の複数の凹部１４２が所定の間隔に設けられ、この複数の凹部１４２には、上記外層部１５に設けられる複数の凸部１５１が嵌合される。これら第２の分割体１４の凹部１４２と外層部１５の凸部１５１との嵌合により、相互間の位置ずれが確実に防止されて、堅牢な握持構造が実現される。
【００１５】
また、第２の分割体１４には、その内部に例えば凸状の係合部１４３が、上記第１の分割体１３の挿通係合孔１３２に対応して設けられる。この係合部１４３は、上記柄の基端側の内部に挿入された該柄１０の基端側を支持し、上記第１の分割体１３の挿通係合孔と協働して柄１０の基端部を位置決め保持する。これら挿通係合孔１３２及び係合部１４３は、例えば挿通係合孔１３２の軸方向の長さ寸法をＬ１とし、係合部の軸方向の寸法をＬ２とすると、Ｌ１＞Ｌ２の関係に設定され、上記柄１０との間が図示しない接着剤を用いて接着される。ここで、柄１０は、芯部１２内における空隙（非支持部位）が、その外径の３倍以上あることが好ましい。
【００１６】
なお、上記第２の分割体１４に設けた係合部１４３としては、凸状に限るものでなく、凹状に形成するように構成することも可能である。
【００１７】
また、上記第２の分割体１４には、その基端に例えば保持用紐や発光材取付用の取付孔１４４が設けられ、この取付孔１４４を利用して例えば保持用の紐や視認用の発光材が選択的に取付けられる。
【００１８】
さらに、上記第１の分割体１３には、その挿通係合孔側に該挿通係合孔１３２を挟んで外層部位置決め用の突部材１６が外層部１５の一部を挟装するように取付けられる。この突部材１６は、例えば楕円状に形成され、複数の凸部１６１が、上記芯部１２及び外層部１５に設けられ複数の凹部１５２に対応して設けられる。これにより、突部材１６は、図４に示すようにその凸部１６１を外層部１５の凹部１５２に挿入した後、芯部１２の第１の分割体１３に設けられた凹部１３３に挿入することにより、外層部１５の芯部１２に対する位置ずれを防止して相互間の確実な被着を可能とする。
【００１９】
また、上記突部材１６には、例えば、ロゴマーク等を構成する孔１６２（図２参照）が外層部１５に対向して設けられ、上記外層部１５上に取付けられた状態で、この孔１６２を通して外層部１５の一部がロゴマークとして視認することが可能に構成される。なお。突部材１６は、接着剤を用いて芯部１２の第１の分割体１３及び外層部１５に接着することが好ましい。
【００２０】
上記外層部１５は、上述したように手による握持形状に対応して所定形状に成形され、その外周部に例えば複数の凹部、または凸部で構成される滑り止め部１５３が設けられる（図５参照）。これにより、釣り人が外層部１５を握持した状態で、該滑り止め部１５３により、例えば魚を掴んだ後でも、滑ることなく、手に馴染み、安定した撒餌操作が可能となる。なお、上記外層部１５は、その握持性及び保護機能を確保したうえで、薄肉化を図ることで、そ重量の軽減を図るように構成することが好ましい。
【００２１】
また、上記第１の分割体１３には、その柄１０の掬い部１１に対応して、例えば平面状の指載置部１３４（図３参照）が設けられ、この指載置部１３４上にも上記外層部１５が被着される。これにより、外層部１５の上から握った状態において、例えばその親指を指載置部１３４上におくことで、釣り人が視認しなくても、掬い部１１がどの方向に向いているか等、掬い部１１の状態が確認されると共に、握持の安定化が図れて、簡便にして容易に高精度な撒餌が可能となる。
【００２２】
このように、上記釣用撒餌杓は、先端部に掬い部１１の設けられる柄１０の基端部が挿着される芯部１２内に柄１０の外周部の間に空隙を設けるようにして、この芯部１２の外周部に該芯部１２に比して軟質な材料で形成される握持部である外層部１５を被着するように構成した。
【００２３】
これによれば、握持した時に、変形しない程度の硬質な材料で形成された芯部１２で、柄１０を支持するため、ハンドルＰをしっかりと握持でき、また、柄１０がハンドルＰに対しふらつかずに確実に支持され、高精度な撒餌操作が実現でき、かつ、手に馴染んだ握持が実現される。さらに、掬い部の設けられた柄は、その芯部１２との間に空隙が設けられていることにより、その基端側が水中に浮くまでの重量の軽減が図れると共に、該芯部１２と、その外周部に被着される軟質な材料製の外層部１５により、手に馴染んだ握持操作が可能となる。また、第１及び第２の分割体１３，１４を合体させた時の接合部を外層部１５で覆ったため、接合部に直接触れることがなくなり、握持感が良好となり、接合部の破損及び水の侵入が防止される。
【００２４】
この結果、柄の安定したバランスが実現されて、例えば図示しない撒餌容器内に立てかけて置いても、芯部１２側が倒れ難いことにより、その落下の防止が図れると共に、仮に上記撒餌容器（図示せず）から落下して水中に落ちてしまった場合にも、芯部１２側が水中に沈むことがなく、所謂、水上に浮いた状態となることで、容易に回収することが可能となる。この際、芯部１２は、その柄１０との間が、例えば接着等の手法や圧接構造を採ることにより、海水等に水が内部の空隙に侵入することが確実に防止される。
【００２５】
また、撒餌操作時には、その芯部１２と外層部１５の作用により、手に馴染んだ安定した握持が実現されることにより、簡便にして容易に高精度な撒餌操作を実現することが可能となる。
【００２６】
また、この発明は、上記実施の形態に限ることなく、その他、図６乃至図８に示すように構成することも可能で、上記実施の形態と略同様の効果を期待することができる。但し、図６乃至図８においては、上記図１乃至図５と同一部分について同一符号を付して、そ詳細な説明を省略する。
【００２７】
即ち、この実施の形態では、ハンドルＰの芯部１２を軸方向（長手方向）に分割可能な第１及び第２の分割体２０，２１で形成するように構成したものである。この第１及び第２の分割体２０，２１には、柄の基端部を協働して支持する対の挿通係合孔部２０１，２１１及び凹状の係合部２０２，２１２が、軸方向に所定の間隔を有して設けられる。これら対の挿通係合孔部２０１，２１１及び係合部２０２，２１２は、協働して柄１０の基端側を所定の空隙を有して二点支持する如く挟装する。
【００２８】
そして、この第１及び第２の分割体２０，２１上には、上記握持部を構成する外層部１５が、同様に第１及び第２の分割体２０，２１の接合部を覆って被着される。この実施の形態においては、第２の分割体２１に複数の位置決め用の凹部２１３が設けられ、この凹部に外層部１５に設けられた凸部１５１が嵌合されて相互間の位置ずれの防止が図られる。
【００２９】
なお、上記各実施の形態では、第２の分割体１４，２１に凹部１４２，２１３を設けて、外層部１５に凸部１５１を設けて相互を嵌合させることにより、外層部１５の芯部１２に対する位置ずれを防止するように構成した場合で説明したが、これに限ることなく、その他、第２の分割体１４，２１に凸部を設けて、外層部１５に凹部を設けて相互を嵌合させることにより、外層部１５の芯部１２に対する位置ずれを防止するように構成しても、略同様の効果が期待される。
【００３０】
また、芯部１２の分割構造としては、上記各実施の形態で説明した２分割構造に限ることなく、各種の分割構造を適用することが可能である。
【００３１】
よって、この発明は、上記実施の形態に限ることなく、その他、実施段階ではその要旨を逸脱しない範囲で種々の変形を実施し得ることが可能である。さらに、上記実施の形態には、種々の段階の発明が含まれており、開示される複数の構成要件における適宜な組合せにより種々の発明が抽出され得る。
【００３２】
例えば実施の形態に示される全構成要件から幾つかの構成要件が削除されても、発明が解決しようとする課題の欄で述べた課題が解決でき、発明の効果で述べられている効果が得られる場合には、この構成要件が削除された構成が発明として抽出され得る。
【図面の簡単な説明】
【００３３】
【図１】この発明の一実施の形態に係る釣用撒餌杓の外観を示した平面図である。
【図２】図１の柄の基端側を取出して要部を取り出して示した平面図である。
【図３】図２を軸方向に断面して示した断面図である。
【図４】図２のＡ―Ａを断面して示した断面図である。
【図５】図２のＢ―Ｂを断面して示した断面図である。
【図６】この発明の他の実施の形態に係る釣用撒餌杓の要部を取り出して示した平面図である。
【図７】図６を軸方向に断面して示した断面図である。
【図８】図６のＣ―Ｃを断面して示した断面図である。
【符号の説明】
【００３４】
１０…柄、１１…掬い部、１２…芯部、１３…第１の分割体、１４…第２の分割体、１３１，１４１…合体部、１３２…挿通係合孔、１３３…凹部、１３４…指載置部、１４２…凹部、１４３…係合部、１４４…取付孔、１５…外層部、１５１…凸部、１５２…凹部、１５３…滑り止め部、１６…突部材、１６１…凸部、１６２…孔、２０…第１の分割体、２１…第２の分割体、２０１，２１１…挿通係合孔、２０２，２１２…係合部、２１３…凹部、Ｐ…ハンドル。
【図１】
2005168462.tif 000003
【図２】
2005168462.tif 000004
【図３】
2005168462.tif 000005
【図４】
2005168462.tif 000006
【図５】
2005168462.tif 000007
【図６】
2005168462.tif 000008
【図７】
2005168462.tif 000009
【図８】
2005168462.tif 000010